(57)【要約】【課題】ロール紙の内径の違いに対応するとともに、ロール紙を確実に保持する。【解決手段】ロール紙（図示せず）を保持する保持部材（フランジ）４１は、スプールが装着される筒部４３の周囲に、複数個（図示例では４つ）の開閉手段４７が配置されている。開閉手段４７の当接部材４６は、リンク部材により両矢印Ｃの方向に移動可能となっている。図示しないカム部材により開閉手段４７を開くと、当接部材４６が外側に移動し、ロール紙の芯管の内面に圧接される。これにより、ロール紙がフランジ４１を介してスプール（図示せず）に保持される。【選択図】図５
2015129028.tif 000002
【特許請求の範囲】
【請求項１】
ロール状の記憶媒体をスプールに保持するためのロール状記憶媒体保持機構において、
前記スプールに装着支持される保持部材と、該保持部材に取り付けられた開閉手段とを備え、
前記開閉手段は、ロール状記憶媒体の芯管内周面に当接される当接部材と、該当接部材を前記スプールのラジアル方向に移動させるリンク部材とを有し、
前記リンク部材は、交差部を支点に開閉する複数枚のリンク板からなり、
ロール状記憶媒体の芯管内径に応じて前記リンク部材を開閉させることで前記当接部材の前記ラジアル方向の位置を調節することを特徴とするロール状記憶媒体保持機構。
【請求項２】
前記リンク部材の開閉支点となる交差部軸を前記スプールのラジアル方向に移動させるカム機構を備え、
該カム機構によって前記交差部軸を移動させて前記当接部材の位置を調節することを特徴とする、請求項１に記載のロール状記憶媒体保持機構。
【請求項３】
前記カム機構は、前記スプールを中心として回動可能に支持されるカム部材を有し、
該カム部材には、前記交差部軸の先端部が挿入される駆動凹部が形成されており、該駆動凹部には、前記スプールの中心からの距離が異なる複数の位置決め部が設けられていることを特徴とする、請求項２に記載のロール状記憶媒体保持機構。
【請求項４】
前記カム機構は、前記スプールを中心として回動可能に支持されるカム部材を有し、
該カム部材には、前記スプールの中心からの距離が異なる２つの位置決め部を結ぶ長穴状の駆動凹部が形成されていることを特徴とする、請求項２に記載のロール状記憶媒体保持機構。
【請求項５】
前記複数枚のリンク板の一端部は、前記スプールの周方向における位置を固定されており、
前記複数枚のリンク板の他端部は、前記スプールの周方向における位置を変更可能に設けられ、該他端部の前記スプール周方向の位置を変えることで前記リンク部材が開閉することを特徴とする、請求項１に記載のロール状記憶媒体保持機構。
【請求項６】
前記当接部材の内部に可動配置される圧接部材が設けられ、
前記圧接部材は、前記リンク部材の開閉に応じて前記スプールのラジアル方向に移動可能に設けられるとともに、前記圧接部材の外周面に凸設されており、
前記開閉手段が開かれたときに、前記押圧ピンが前記当接部材の外部に突出するように構成されていることを特徴とする、請求項１〜５のいずれか一項に記載のロール状記憶媒体保持機構。
【請求項７】
隣接する前記開閉手段において、前記リンク板の端部が互い違いに入れ込まれて配置されることを特徴とする、請求項１〜６のいずれか一項に記載のロール状記憶媒体保持機構。
【請求項８】
請求項１〜７のいずれか一項に記載のロール状記憶媒体保持機構を用いたことを特徴とするロール給紙装置。
【請求項９】
請求項１〜７のいずれか一項に記載のロール状記憶媒体保持機構または請求項８に記載のロール給紙装置を備えることを特徴とする画像形成装置。
【発明の詳細な説明】
【技術分野】
【０００１】
本発明は、ロール状記録媒体を保持するロール状記録媒体保持機構、これを用いたロール給紙装置および画像形成装置に関するものである。
【背景技術】
【０００２】
複写機、ファクシミリ、プリンタ等の画像形成装置において、ロール状に巻かれた記録媒体（以下、ロール紙という）を給紙するロール給紙装置を備えるものは周知である。ロール給紙装置は、ロール紙をその軸周りに回転自在に支持するロール紙保持機構を有している。
【０００３】
例えば特許第４８７２７３８号公報（特許文献１）には、ロール紙の軸方向を支点に拡開当接部材が回転し、ロール径方向に広げることで紙管内径の違いに対応するようにしたロール紙の保持機構が開示されている。
【０００４】
また、特開２０１２−６６９３２号公報（特許文献２）には、ロール紙の半径方向に変形可能な弾性部材でロール紙内周面に当接圧を与えて固定するようにしたロール紙の保持機構が開示されている。
【発明の概要】
【発明が解決しようとする課題】
【０００５】
上記特許文献１に開示された保持機構では、拡開当接部材が軸方向を支点に拡開する（拡開当接部材の回転軸がロール軸と平行になっている）ため、当接拡開部材はロール紙の周方向回転に弱いという問題がある。
また、上記特許文献２に開示された保持機構では、当接圧を弾性体で与えると、半径方向に変形可能なためロール紙の偏心が起き易いという問題がある。
【０００６】
本発明は、ロール紙の内径の違いに対応することができ、ロール紙を確実に保持することのできるロール状記録媒体保持機構、これを用いたロール給紙装置および画像形成装置を提供することを課題とする。
【課題を解決するための手段】
【０００７】
前記の課題を解決するため、本発明は、ロール状の記憶媒体をスプールに保持するためのロール状記憶媒体保持機構において、前記スプールに装着支持される保持部材と、該保持部材に取り付けられた開閉手段とを備え、前記開閉手段は、ロール状記憶媒体の芯管内周面に当接される当接部材と、該当接部材を前記スプールのラジアル方向に移動させるリンク部材とを有し、前記リンク部材は、交差部を支点に開閉する複数枚のリンク板からなり、ロール状記憶媒体の芯管内径に応じて前記リンク部材を開閉させることで前記当接部材の前記ラジアル方向の位置を調節することを特徴とする。
【発明の効果】
【０００８】
本発明によれば、開閉手段のリンク部材を開閉させることで当接部材のラジアル方向の位置を調節するため、リンク部材が折り畳まれることで縮小され、少ないスペースでロール紙の内径の違いに対応することができる。
【０００９】
また、開閉手段のリンク部材を開閉させることにより当接部材のラジアル方向の位置を調節する構成のため、ロール紙の回転に影響されることなくロール紙を確実に保持することができる。
【図面の簡単な説明】
【００１０】
【図１】本発明に係るインクジェット記録装置の概要を示す斜視図である。
【図２】そのインクジェット記録装置の内部構成を模式的に示す断面図である。
【図３】ロール紙保持機構によってスプールにロール紙を取り付ける様子を示す斜視図である。
【図４】ロール紙保持機構の構成を示す側面方向からの断面図である。
【図５】ロール紙保持機構の軸方向から見た正面図である。
【図６】開閉手段の斜視図である。
【図７】当接部材の正面図である。
【図８】ガイド部材の正面図である。
【図９】カム部材の正面図である。
【図１０】カム部材の別例を示す正面図である。
【図１１】ロール紙保持機構の第２実施形態を示す側面方向からの断面図である。
【図１２】第２実施形態におけるリンク部材を示す正面図である。
【図１３】位置決め部材の正面図である。
【図１４】当接部材の別例を示す断面図である。
【図１５】開閉手段の配置とリンク板の配置を示す図である。
【発明を実施するための形態】
【００１１】
以下、本発明の実施形態を図面を参照して詳細に説明する。
図１は、本発明に係る画像形成装置の一例であるインクジェット記録装置の概要を示す斜視図である。また、図２は、そのインクジェット記録装置の内部構成を模式的に示す断面図である。まず図１及び図２により、画像形成装置全体の構成と動作について説明する。
【００１２】
図示のインクジェット記録装置は、シリアル型インクジェット記録装置であり、記録装置本体１の内部には、画像形成部２、用紙吸引搬送部３、ロール紙収納部４などが配置されている。
【００１３】
画像形成部２は、図示しない両側板にガイドロッド１３及びガイドレール１４が掛け渡され、これらのガイドロッド１３及びガイドレール１４にキャリッジ１５が図中の矢示Ａ方向に摺動可能に保持されている。
【００１４】
キャリッジ１５には、ブラック（Ｋ），イエロー（Ｙ），マゼンタ（Ｍ），シアン（Ｃ）の各色のインク滴を吐出する液体吐出ヘッドが搭載されている。各記録ヘッドには図示しないが、各記録ヘッドにインクを供給するサブタンクが一体的に備えられている。
【００１５】
そして、キャリッジ１５を移動走査する主走査機構は、主走査方向の一方側に配置される駆動モータ２１と、駆動モータ２１によって回転駆動される駆動プーリ２２と、主走査方向他方側に配置された従動プーリ２３と、駆動プーリ２２と従動プーリ２３との間に掛け回されたベルト部材２４とを備えている。なお、従動プーリ２３は、図示しないテンションスプリングによって外方（駆動プーリ２２に対して離れる方向）にテンションが掛けられている。
【００１６】
ベルト部材２４は、キャリッジ１５の背面側に設けたベルト固定部に一部分が固定保持されていることで、主走査方向（図中の矢示Ａ方向）にキャリッジ１５を牽引している。また、キャリッジ１５の主走査方向に沿ってキャリッジ１５の主走査位置を検知するためのエンコーダシート（図示せず）が配置され、キャリッジ１５に設けたエンコーダセンサ（図示せず）によってエンコーダシートが読み取られるようになっている。このキャリッジ１５における主走査領域のうち、記録領域では、用紙３０が用紙吸引搬送部３によってキャリッジ１５の主走査方向と直交する方向（副走査方向：図中の矢示Ｂ方向）に間欠的に搬送される。
【００１７】
また、主走査領域のうち一方の端部側領域には、各記録ヘッドの維持回復を行うための維持回復機構１８が配置されている。さらに、主走査方向のキャリッジ移動領域外、または上述した主走査領域のうち他方の端部側領域には、記録ヘッドのサブタンクに供給する各色のインクを収容したメインカートリッジ１９が記録装置本体１に対して着脱自在に装着されている。
【００１８】
図に示すロール紙収容部４はいわゆる給紙手段を構成し、ロール紙（用紙）３０がセットされている。このロール紙収容部４には、幅方向（図中矢示Ａ方向）のサイズが異なるロール紙をセット可能である。ロール紙３０は、その紙軸に両側から保持部材であるフランジ３１を装着し、装置本体に取り付けられる。フランジ３１は図示を省略した軸受等により画像形成装置の装置本体側に回転可能に支持されており、フランジ３１が回転することで、ロール紙３０が給送される。なお図２の符号３２は、ロール紙収容部４内でロール紙３０の下側を支える支持部材である。なお以下では、必要に応じてロール紙３０あるいは用紙３０と記載する。
【００１９】
この記録装置では、ロール紙収容部４から搬送された用紙３０は、搬送手段（ローラ対３３、搬送ローラであるレジストローラ３４及びレジスト加圧ローラ３５など）により記録領域へ搬送される。そして、キャリッジ１５を主走査方向に移動し、用紙３０を間欠的に送りながら、記録ヘッドを画像情報に応じて駆動して液滴を吐出させることによって、用紙３０上に所要の画像を形成させる。さらに、画像形成後の用紙３０は、所定の長さにカットされ、装置本体１の正面側（図２において左側）に配置された図示しない排紙トレイへ排出される。
【００２０】
図３は、ロール紙保持機構によって、スプールにロール紙を取り付ける様子を示す斜視図である。
図３において、スプールを構成する軸部材４２に、保持部材であるフランジ４１ａ，４１ｂが装着支持されている。実施例では、一方側のフランジ４１ａは軸部材４２に固定され、他方側のフランジ４１ｂは図中に両矢印で示すように軸部材４２の軸線方向に可動となっている。軸部材４２をロール紙３０の芯管内に挿入し、両側からフランジ４１ａ，４１ｂで挟持して記録媒体であるロール紙３０をスプールに保持させる。可動側のフランジ４１ｂを軸線方向に移動させることで、幅方向のサイズが異なるロール紙をセット可能となっている。なお、フランジ４１ａ，４１ｂは、両側とも軸部材４２に固定してもよいし、両側とも軸線方向に可動としてもよい。
【００２１】
図４は、ロール紙保持機構の構成を示す側面方向からの断面図である。また、図５は、ロール紙保持機構の軸方向から見た正面図である。なお、フランジ４１ａ，４１ｂの構成は同一であり、区別の必要がない場合は単にフランジ４１と記す。
【００２２】
図４に示すように、フランジ４１の端面には筒部４３が凸設されている。その筒部４３の外側（外周側）には、交差部軸４４，リンク板４５，当接部材４６等からなる開閉手段４７が設けられている。開閉手段４７は、図４では１つのみ示しているが、実際は図５に示すように、フランジ４１の周方向に複数個が配置されている。図示例では、４つの開閉手段４７をフランジ４１の周方向に等間隔で配置している。なお、開閉手段４７の数は４つに限らず、適宜な個数とすることができるもので、例えば３つの開閉手段４７をフランジ４１の周方向に等間隔で配置してもよい。
【００２３】
開閉手段４７は、図６にも示すように、２枚のリンク板４５からなるリンク部材によって当接部材４６を開閉可能に設けたものである。２枚のリンク板４５は交差部軸４４に軸着されて回動可能となっている。２枚のリンク板４５の先端部には当接部材４６がピン４９，４９により支持されている。これにより当接部材４６は、図５に示す両矢印Ｃの方向、すなわちラジアル方向に移動可能となっており、フランジ４１の中心に対して開閉される。なお、リンク板４５は後述するようにスプール軸方向に長い平板状としてもよいし、複数枚の薄板をスプール軸方向に並べた構成でもよい。
【００２４】
また、当接部材４６が「開く」とは、当接部材４６がフランジ４１の中心から遠ざかる（スプール軸から遠ざかる）ことを意味し、当接部材４６が「閉まる」とは、当接部材４６がフランジ４１の中心に近づく（スプール軸に近づく）ことを意味している。そして、複数（４つ）の開閉手段４７が開くことにより、複数（４つ）の開閉手段４７で形成する擬似的な円の直径が増大し、また、複数（４つ）の開閉手段４７が閉まることにより、複数（４つ）の開閉手段４７で形成する擬似的な円の直径が縮小する。
【００２５】
当接部材４６は、フランジの筒部４３と共にロール紙３０の芯管内に挿入される。そして、当接部材４６が開かれることにより、複数（４つ）の開閉手段４７で形成する擬似的な円の直径が増大し、各当接部材４６がロール紙３０の芯管の内周面に押し付けられる。これにより、ロール紙３０は、当接部材４６が設けられているフランジ４１を介してスプール（軸部材４２）に保持される。
【００２６】
開閉手段４７を開閉させる構成を、図４及び図６〜９により説明する。なお、図６は、開閉手段４７の構成を示す部分斜視図である。図７は、当接部材４６正面図である。図８は、開閉手段４７の動きをガイドするガイド部材５０の正面図である。図９は、開閉手段４７を動かすためのカム部材５１の正面図である。
【００２７】
図４に示すように、ガイド部材５０は、カム部材５１を間に挟んでフランジ４１に固定される。カム部材５１は、フランジ４１及びガイド部材５０に対して回転可能に支持される。
【００２８】
先にも説明したように、開閉手段４７は、２枚のリンク板４５によって当接部材４６を開閉可能に設けている。図６に示すように、リンク板４５の先端部（フランジ外周側の端部）にはピン４９が軸着されている。また、リンク板４５の下端部（フランジ内周側の端部）にはピン４８が軸着されている。そして、当接部材４６の両端部には、図７に示すように、当接部材の長手方向（フランジ円周方向）に沿って延びる溝４６ａが形成されている。この溝４６ａは当接部材４６を貫通して設けられており、溝４６ａ内にピン４９が挿入され、ピン４９は溝４６ａ内でフランジ４１の円周方向に移動可能となっている。
【００２９】
ガイド部材５０には、図８に示すように、円周方向に延びる複数（実施例では８つ）のガイド溝５２が形成されている。このガイド溝５２には、開閉手段４７のリンク板４５の下端部に軸着されたピン４８が挿入され、ガイド溝５２によってピン４８がガイドされる。ガイド溝５２の外側（ラジアル方向の外側）には、円周方向に延びる複数（実施例では８つ）のガイド溝５３が形成されている。このガイド溝５３には、開閉手段４７のリンク板４５の上端部に軸着され当接部材４６の溝４６ａを貫通した（当接部材４６を貫通した）ピン４９が挿入され、ガイド溝５３によってピン４９がガイドされる。
【００３０】
すなわち、開閉手段４７の２枚のリンク板４５は、内周側でピン４８がガイド溝５２によってガイドされ、外周側でピン４９がガイド溝５３によってガイドされ、２枚のリンク板４５が開閉できるようになっている。なお、ピン４８，４９は、ガイド部材５０の裏側で抜け止めされている。
【００３１】
また、ガイド部材５０には、図８に示すように、ラジアル方向（半径方向）に延びる複数（実施例では４つ）のガイド溝５４が形成されている。このガイド溝５４には、開閉手段４７の２枚のリンク板４５の回動軸となる交差部軸４４が挿入される。交差部軸４４は、ガイド溝５４に案内され、ラジアル方向（半径方向）に移動可能となっている。なお、交差部軸４４は、ガイド部材５０の裏側で抜け止めさるとともに、その先端がカム部材５１の駆動凹部５５（図９）に差し込まれている。
【００３２】
なお、ガイド部材５０に設けられているガイド溝５２、ガイド溝５３及びガイド溝５４の数は、開閉手段４７の数（実施例では４つ）に対応する数だけが設けられたものであり、また、溝の位置も、開閉手段４７の位置に対応して設けられるものである。
【００３３】
図９に示すように、カム部材５１の端面には４つの駆動凹部５５が形成されている。なお、駆動凹部５５の数と位置は開閉手段４７の数と位置に対応して設けられるものである。駆動凹部５５は、カム部材５１の端面からくぼんだ窪み形状として設けられており、その窪み（凹部）の中に、ガイド溝５４を通してガイド部材５０を貫通した交差部軸４４の先端部が差し込まれる。前述したように、交差部軸４４はガイド部材５０の裏側で抜け止めされており、交差部軸４４の先端部が駆動凹部５５から外れないようになっている。
【００３４】
駆動凹部５５の形状（図９に示すように軸方向から見た平面形状）は、カム部材５１の回転中心（スプール軸の中心）からの距離が異なる複数の（実施例では２つの）位置決め部５５ａ，５５ｂを有している。各位置決め部５５ａ，５５ｂの間は滑らかな曲線状の壁面で連絡されており、カム部材５１が回動されたときに、交差部軸４４が駆動凹部５５の壁面に沿って移動できるようになっている。
【００３５】
図９において下側の駆動凹部５５に、交差部軸４４を仮想線にて示してある。カム部材５１が回動されたとき、両矢印で示すように、交差部軸４４は各位置決め部５５ａ，５５ｂの間を移動することができる。実施例では、カム部材５１を図９において反時計回りに回動させると、交差部軸４４は位置決め部５５ａから５５ｂに移動する（位置決め部５５ｂに交差部軸４４が位置していた場合は、そのまま位置決め部５５ｂにとどまる）。また、カム部材５１を図９において時計回りに回動させると、交差部軸４４は位置決め部５５ｂから５５ａに移動する（位置決め部５５ａに交差部軸４４が位置していた場合は、そのまま位置決め部５５ａにとどまる）。さらに、駆動凹部５５の表面摩擦負荷やカム部材５１の回転角を規制することで、交差部軸４４の位置決めを行う（交差部軸４４を所定の位置に保持させる）ことができる。
【００３６】
カム部材５１を図９において反時計回りに回動させると、交差部軸４４はガイド部材５０のガイド溝５４の中で外側（スプール軸の中心と反対側）に移動される。カム部材５１を図９において時計回りに回動させると、交差部軸４４はガイド部材５０のガイド溝５４の中で内側（スプール軸の中心側）に移動される。
【００３７】
このようにして、カム部材５１を（オペレータが）回動させることで、交差部軸４４をガイド溝５４の中で、ラジアル方向（半径方向）に移動させることができるようになっている。なお実施例は、駆動凹部５５に２つの位置決め部を設けた構成により、交差部軸４４を２つの位置に移動させるものであるが、例えば駆動凹部５５に３つの位置決め部を設けて、交差部軸４４を３つの位置に移動させるような構成も可能である。
【００３８】
さて、カム部材５１が回動することによって交差部軸４４がガイド溝５４にガイドされてラジアル方向（半径方向）に移動し、内側または外側に移動することで、２枚のリンク板４５が開閉する（図８の右上図を参照)。このとき、リンク板４５に軸着又は固定されたピン４８，４９は、ガイド部材５０のガイド溝５２とガイド溝５３にガイドされて移動する。そして、２枚のリンク板４５が開閉することにより、上側（半径方向外側）のピン４９がはめ込まれている当接部材４６が、図５に矢印Ｃで示すように、上方（半径方向外側）あるいは下方（半径方向内側）に移動して開閉される。
【００３９】
開閉手段４７は、ロール紙３０の芯管内に挿入されており、カム部材５１を回動させて交差部軸４４を駆動凹部５５の位置決め部５５ｂに移動させて保持させることで、ロール紙芯管の内面を当接部材４６が押圧してロール紙３０をスプールに確実に保持する。ロール紙をスプールから取り外す際は、カム部材５１を逆方向に回動させて交差部軸４４を駆動凹部５５の位置決め部５５ａに移動させることで、ロール紙芯管から当接部材４６が離間される。
【００４０】
図１０は、カム部材の別例を示す正面図である。
この図に示すカム部材１５１には、２つの位置決め部１５５ａ，１５５ｂを有している斜め溝（長穴）状の駆動凹部１５５が４箇所に設けられている。２つの位置決め部１５５ａ，１５５ｂは、スプール軸中心からの距離が異なるように設けられており、位置決め部１５５ａが内側、位置決め部１５５ｂが外側に位置している。このような構成においても、図９のカム部材５１と同様、交差部軸４４をラジアル方向（半径方向）に移動させることができる。また、駆動凹部１５５の表面摩擦負荷やカム部材１５１の回転角を規制することで、交差部軸４４の位置決めを行う（交差部軸４４を所定の位置に保持させる）ことができる。
【００４１】
図１１は、ロール紙保持機構の第２実施形態を示す側面方向からの断面図である。
この図に示す保持機構では、フランジ１４１の内部に位置決め部材１４２が配置されている。また、フランジ１４１の端面には、図８のガイド部材５０と同様のガイド溝が形成されているが、図１２に示すように、中心側のガイド溝５２は、一方側の５２Ｌは周方向に延びる溝であり、他方側の５２Ｒは丸穴となっている。各ガイド溝５２Ｌ，５２Ｒ，５３，５３には、リンク板４５の端部に軸着又は固定されたピン４８（４８Ｌ，４８Ｒ）及び４９が挿入される。なお、２枚のリンク板４５，４５は、回動軸１４４によって回動可能となっている。回動軸１４４は、２枚のリンク板４５，４５を回動可能に挟持しているだけで、フランジ１４１まで延びていない。
【００４２】
図１３は、位置決め部材１４２の正面図である。
この図に示すように、位置決め部材１４２には、位置決め用の丸穴１４３が４つ設けられている。丸穴１４３の数は開閉手段４７の個数に対応して設けられる。上記丸穴１４３には、リンク板４５の内側（半径方向中心側）に位置するピン４８（４８Ｌ，４８Ｒ）のうち、一方側のピン４８Ｌが挿入される。すなわち、ガイド溝５２のうちの丸穴ではなく周方向に延びるガイド溝（５２Ｌ）に挿入されている方のピン（４８Ｌ）が挿入される。
【００４３】
このような構成において、位置決め部材１４２を回動させると、リンク板４５の内側（半径方向中心側）に位置するピン４８（４８Ｌ，４８Ｒ）のうち、一方側のピン４８Ｒは、フランジ１４１の端面に設けられた丸穴のガイド溝５２Ｒによって位置決めされているので移動せず、位置決め部材１４２の丸穴１４３に挿入されたピン４８Ｌだけが位置決め部材１４２の回動によって周方向に（フランジ端面の周方向に延びるガイド溝５２Ｌに沿って）移動される。リンク板４５の外側（半径方向外側）のピン４９，４９は、共にフランジ端面の周方向に延びるガイド溝５３，５３にガイドされて周方向に移動する。これにより、２枚のリンク板４５，４５が開閉し、ピン４９，４９が挿入されている当接部材４６も開閉する。位置決め部材１４２は、表面摩擦負荷（摩擦係数）や回転角を規制することで、位置決めを行う（当接部材４６を所定の位置に保持させる）ことができる。
【００４４】
よって、中心側のピン４８（４８Ｌ，４８Ｒ）の距離が近づく方向に位置決め部材１４２を回動させることで、当接部材４６を中心側に移動させ（開閉手段４７を閉じ）、反対側に位置決め部材１４２を回動させることで、当接部材４６を半径方向の外側に移動させる（開閉手段４７を開く）ことができる。開閉手段４７を開くことで、当接部材４６をロール紙芯管の内面に当接させて押圧し、ロール紙３０をスプールに確実に保持することができる。
【００４５】
図１４は、開閉手段４７の当接部材の別例を示す断面図である。
この図に示す当接部材１４６は、内部に圧接部材１４７が配置されている。その圧接部材１４７の外周面（図では上面）に複数の押圧ピン１４７ａが設けられている。押圧ピン１４７ａは、図に示すように周方向に複数個設けられており、また、スプール軸方向(図面に垂直な方向)にも複数個が設けられている。そして、圧接部材１４７の内周面（図では下面）にはガイド部１４７ｂが周方向の両側に設けられている。ガイド部１４７ｂは、当接部材の底面１４６までの距離が、端部側から内側に向かって次第に小さくなるように設けられている。そのガイド部１４７ｂと当接部材底面１４６ｂ間の空間にピン４９（リンク板４５の上端に軸着又は固定されたピン：図６，１２等参照）が挿入されている。
【００４６】
前述したように、カム部材５１，１５１あるいは位置決め部材１４２を回動させることにより、両側のピン４９が図に矢印Ｄで示すように内側に移動すると、ピン４９がガイド部１４７ｂに当接して圧接部材１４７を外周方向（図では上方）に押し上げる。圧接部材１４７が押し上げられると、その外周面に設けられた押圧ピン１４７ａが、当接部材１４６の天板１４６ａに設けられた穴から外部に突出するように構成されている。カム部材５１，１５１あるいは位置決め部材１４２を逆方向に回動させ、ピン４９が外側位置に戻ると、ピン４９による押上げが解除され、押圧ピン１４７ａは当接部材１４６の内部に収納される。
【００４７】
このような構成の当接部材１４６を用いた場合、開閉手段４７を開いたときに、ロール紙芯管の内面に押圧ピン１４７ａが圧接され、さらに確実にロール紙３０をスプールに保持することができる。
【００４８】
なお、図示例では、圧接部材１４７に設けたガイド部１４７ｂは、当接部材の底面１４６までの距離が、端部側から内側に向かって次第に小さくなるように設けているが、底面１４６までの距離が段階的に小さくなるように設けてもよい。その場合、ロール紙芯管の内径に対応させて段数を設定してやれば、異なる内径のロール紙３０をセットする場合に好適である。
【００４９】
次に、開閉手段４７のリンク板４５について説明する。当接部材４６又は１４６を支持するリンク板４５は、図６で示すように、２枚のリンク板４５で当接部材４６又は１４６を支持するように説明したが、薄板状のリンク板４５をスプール軸方向に複数枚配置して、その複数枚のリンク板により当接部材４６又は１４６を支持するように構成してもよい。その場合、リンク板４５の先端部が当接部材４６又は１４６の内部に挿入されているピン４９装着できるよう、当接部材４６又は１４６に切り欠きを設けることで対応可能である。あるいは、リンク板４５を、スプール軸方向に延びる平板としてもよい。その場合も、先端部が当接部材４６又は１４６の内部に挿入されているピン４９に装着できるよう、先端部のみ薄板状として、当接部材４６又は１４６に設けた切り欠きからピン４９に装着することで対応できる。
【００５０】
また、図１５（ａ）に示すように、開閉手段４７が接近して配置されリンク板４５同士が干渉する場合は、図１５（ｂ）に示すように互い違いに入れ込むように配置すればよい。また、リンク板４５が平板状リンク板の場合は、先端部のみ薄板状とし、その薄板先端部を互い違いに入れ込むように配置すればよい。
【００５１】
これにより、開閉手段４７を接近させて配置することが可能となり、開閉手段４７の数を増やしてロール紙３０を保持する力を増大させることができる。
以上説明したように、本発明によるロール状記憶媒体保持機構によれば、開閉手段のリンク部材を開閉させることで当接部材のラジアル方向の位置を調節するため、リンク部材が折り畳まれることで縮小され、少ないスペースでロール紙の内径の違いに対応することができる。
【００５２】
また、開閉手段のリンク部材を開閉させることにより当接部材のラジアル方向の位置を調節する構成のため、ロール紙の回転に影響されることなくロール紙を確実に保持することができる。
【００５３】
さらに、カム機構によってリンク板の交差部軸を移動させて当接部材の位置を調節することにより、簡単な構成で当接部材を移動させることができる。
また、カム部材の駆動凹部に複数の位置決め部を設けたことで、当接部材を複数の位置に確実に位置決めすることができる。当接部材の位置を多段階で調節することも可能となる。
【００５４】
また、カム部材に２つの位置決め部を結ぶ長穴状の駆動凹部が形成されていることで、カム部材をより簡素な構成とすることができる。
また、リンク板の一端部を固定し、他端部のスプール周方向の位置を変えることでリンク部材が開閉する構成により、開閉手段の構成を簡単にすることができる。
【００５５】
また、開閉手段が開かれたときに押圧ピンが当接部材の外部に突出することで、ロール紙の滑りを防ぎ、より確実にロール紙を保持することができる。
また、隣接する開閉手段のリンク板端部が互い違いに入れ込まれて配置されることで、開閉手段を接近させて配置することが可能となり、開閉手段の数を増やしてロール紙の保持力を増大させることができる。
【００５６】
以上、本発明を図示例に基づき説明したが、本発明はこれに限定されるものではなく、適宜変更可能なものである。
また、画像形成装置はインクジェット記録装置に限らず、電子写真方式の装置であってもよい。また、画像形成装置としてはプリンタに限らず、複写機やファクシミリ、あるいは複数の機能を備える複合機であっても良い。
【符号の説明】
【００５７】
１              記録装置本体
４              ロール紙収納部
３０            ロール紙（ロール状記憶媒体）
４１            フランジ（保持部材）
４２            軸部材（スプール）
４４            交差部軸
４５            リンク板
４６            当接部材
４７            開閉手段
４９            ピン
５０            ガイド部材
５１，１５１    カム部材
５５            駆動凹部
５５ａ，５５ｂ  位置決め部
１４２          位置決め部材
１４６          当接部材
１４７          圧接部材
１４７ａ        押圧ピン
１５５          駆動凹部（長穴）
【先行技術文献】
【特許文献】
【００５８】
【特許文献１】特許第４８７２７３８号公報
【特許文献２】特開２０１２−６６９３２号公報
【図１】
2015129028.tif 000003
【図２】
2015129028.tif 000004
【図３】
2015129028.tif 000005
【図４】
2015129028.tif 000006
【図５】
2015129028.tif 000007
【図６】
2015129028.tif 000008
【図７】
2015129028.tif 000009
【図８】
2015129028.tif 000010
【図９】
2015129028.tif 000011
【図１０】
2015129028.tif 000012
【図１１】
2015129028.tif 000013
【図１２】
2015129028.tif 000014
【図１３】
2015129028.tif 000015
【図１４】
2015129028.tif 000016
【図１５】
2015129028.tif 000017